(57)【要約】  【課題】  細径または柔軟なスタイラスペンが付いたシャープペンシルを提供する。  【解決手段】  芯繰り出し機構１４と、軸筒１２内に設けられる芯タンクＴとを備えるシャープペンシルにおいて、芯タンクＴの後部に連通する芯挿入口が着脱可能なタンク蓋兼用のスタイラスチップ４０によって封止され、該スタイラスチップ４０がスタイラス用ペン先Ｐ１を構成する。  【選択図】  図２
2006297756.tif 000002
【特許請求の範囲】
【請求項１】
芯繰り出し機構と、軸筒内に設けられる芯タンクとを備えるシャープペンシルにおいて、
芯タンクの後部に連通する芯挿入口が着脱可能なタンク蓋によって封止され、該タンク蓋がスタイラスペン用ペン先を構成することを特徴とするスタイラスペン付きシャープペンシル。
【請求項２】
前記タンク蓋を包囲する着脱可能なキャップをさらに備え、該キャップが、第２スタイラスペン用ペン先を構成することを特徴とする請求項１記載のスタイラスペン付きシャープペンシル。
【請求項３】
前記スタイラスペン用ペン先の方が前記第２スタイラスペン用ペン先よりも、可撓性が大きいことを特徴とする請求項２記載のスタイラスペン付きシャープペンシル。
【請求項４】
前記芯繰り出し機構を駆動するための駆動機構をさらに備え、該駆動機構は、軸筒後方から一体的に差し込まれるユニットを構成しており、前記タンク蓋は該ユニットとなった駆動機構に含まれることを特徴とする請求項１ないし３のいずれか１項に記載のスタイラスペン付きシャープペンシル。
【請求項５】
前記駆動機構と芯繰り出し機構との間には、軸筒に対する相対回転によって芯繰り出し機構のチャックを前進させるための回転カム機構が構成されることを特徴とする請求項４記載のスタイラスペン付きシャープペンシル。
【発明の詳細な説明】
【技術分野】
【０００１】
本発明は、スタイラスペンが付いたスタイラスペン付きシャープペンシルに関する。
【背景技術】
【０００２】
従来、この種のスタイラスペンが付いたシャープペンシルとしては特許文献１に記載されたものが知られている。この文献に記載されたものは、軸筒内に摺動可能に設けられたシャープペンシル用芯繰り出し機構と、この芯繰り出し機構の後方に設けられたボールペンレフィールと、ボールペンレフィールと芯送り出し機構とを連動せしめる協働手段と、ボールペンレフィールを受けているレフィール受けを作動せしめて芯繰り出し機構により芯を突出させるキャップ兼用スタイラスペンとから構成された複合筆記具となっている。
【０００３】
即ち、上記複合筆記具では、スタイラスペンがボールペンレフィールのキャップを兼用しており、キャップの先端にスタイラスチップが固定されている。よって、キャップを取り付けた状態にして、軸筒の一方側を下向きにすることによりシャープペンシルとして使用することができ、また、芯繰り出しを行うのは、キャップを軸筒に対して回転させることが行うことができ、他方、軸筒の他方側を下向きにすることによってスタイラスペンとして使用することができるようになっている。また、キャップを取り外すことにより、ボールペンとして使用することができるようにもなっている。
【０００４】
【特許文献１】特開２００３−３１２１９０号公報
【発明の開示】
【発明が解決しようとする課題】
【０００５】
しかしながら、このような従来の構成では、軸筒が細径であるものの、スタイラスペンがキャップ兼用となっているために、スタイラスチップの径を十分に細くすることができない、という問題がある。よって、スタイラスペンを繊細に動かしたいとき、または、スタイラスペンを柔軟に動かしたい場合などに、使いづらいという問題がある。
【０００６】
本発明は、かかる問題に鑑みなされたもので、細径または柔軟なスタイラスペンが付いたシャープペンシルを提供することをその目的とする。
【課題を解決するための手段】
【０００７】
上記目的を達成するために、本発明のうち請求項１記載の発明は、芯繰り出し機構と、軸筒内に設けられる芯タンクとを備えるシャープペンシルにおいて、
芯タンクの後部に連通する芯挿入口が着脱可能なタンク蓋によって封止され、該タンク蓋がスタイラスペン用ペン先を構成することを特徴とする。
【０００８】
請求項２記載の発明は、請求項1記載のものにおいて、前記タンク蓋を包囲する着脱可能なキャップをさらに備え、該キャップが、第２スタイラスペン用ペン先を構成することを特徴とする。
【０００９】
請求項３記載の発明は、請求項２記載のものにおいて、前記スタイラスペン用ペン先の方が前記第２スタイラスペン用ペン先よりも、可撓性が大きいことを特徴とする。
【００１０】
請求項４記載の発明は、請求項１ないし３のいずれか1項に記載のものにおいて、前記芯繰り出し機構を駆動するための駆動機構をさらに備え、該駆動機構は、軸筒後方から一体的に差し込まれるユニットを構成しており、前記タンク蓋は該ユニットとなった駆動機構に含まれることを特徴とする。
【００１１】
請求項５記載の発明は、請求項４記載の前記駆動機構と芯繰り出し機構との間には、軸筒に対する相対回転によって芯繰り出し機構のチャックを前進させるための回転カム機構が構成されることを特徴とする。
【発明の効果】
【００１２】
本発明によれば、芯タンクの封止を行なうタンク蓋がスタイラスペン用ペン先を構成するために、従来のスタイラスペン用ペン先よりも細径のスタイラスペン用ペン先とすることができ、繊細に動かしたり、または柔軟に動かしたりすることができ、且つタンク蓋としての機能を兼用しているために、部品点数の増加を抑えることができる。
【００１３】
請求項２記載の発明によれば、キャップが第２スタイラスペン用ペン先を構成するために、前記スタイラスペン用ペン先と異なる種類のスタイラスペン用ペン先を２つ備えることができ、使用する状況に応じてスタイラスペン用ペン先を切り替えることができる。
【００１４】
請求項３記載の発明によれば、タンク蓋で構成されるスタイラスペン用ペン先は、通常キャップ内に包囲されてキャップで保護されるために、可撓性を大きくすることができる。そのため、ペン先を柔軟に使いたいときに、タンク蓋で構成されるスタイラスペン用ペン先を使用することができる。
【００１５】
請求項４記載の発明によれば、タンク蓋をユニットとなった駆動機構に含ませることにより、該駆動機構を軸筒に差し込むだけで、タンク蓋のセットも完了することができる。
【００１６】
請求項５記載の発明によれば、軸筒に対する相対回転によって芯繰り出し機構のチャックが前進するために、タンク蓋がスタイラスペン用ペン先を構成していても、駆動操作及びスタイラスペン用ペン先の筆記操作に支障を来たすことがない。
【発明を実施するための最良の形態】
【００１７】
以下、図面を用いて本発明の実施の形態を説明する。
【００１８】
図１は本発明のスタイラスペン付きシャープペンシルの全体図及び図２はその縦断面図である。スタイラスペン付きシャープペンシル１０は、軸筒１２を備えている。この実施形態における軸筒１２は細径で、その外径が３〜８ｍｍ、好ましくは５ｍｍ以下となっており、また、金属製の一本軸である。
【００１９】
軸筒１２内には、芯繰り出し機構１４が配設される。芯繰り出し機構１４はユニットとなっており、軸筒１２内に前方から差し込まれて固定されることで、軸筒１２内にセット可能となっている。
【００２０】
具体的には芯繰り出し機構１４は、芯を収容することができる芯パイプ１６と、芯パイプ１６の前端に後端の延長部が一体的に連結され芯の締付を行なうチャック１８と、チャック１８の外周側に外嵌されるチャックリング２０と、チャックリング２０の後端に当接してチャックリング２０の後方変位を規制するスリーブ２２と、スリーブ２２と芯パイプ１６との間に介挿されて芯パイプ１６及びチャック１８を後方に付勢するチャックスプリング２４と、スリーブ２２の前端に螺着される先具２６と、先具２６内に収められて芯を保持するパッキン２８とから構成される。
【００２１】
スリーブ２２の外周面に形成された噛み合い部が軸筒１２内に接着圧入されることで、芯繰り出し機構１４が軸筒１２に固定される。
【００２２】
芯パイプ１６は、図６に示したように、その周面にリブ１６ａが形成されており、該リブ１６ａは、スリーブ２２に形成される溝２２ａ（図２参照）内に摺動可能に嵌入されており、これによって、芯パイプ１６は軸筒１２内で軸方向移動可能かつ回転不能に取り付けられている。また、芯パイプ１６の周面には、後述の回転カム３２と係り合う回転カム受部１６ｂが形成されている。回転カム受部１６ｂには、図１０に示すように、傾斜方向が反対となった２種類の傾斜面１６ｂ１、１６ｂ２が連続して形成されている。傾斜面１６ｂ２の終端には係止凹部１６ｂ３が形成されている。
【００２３】
また、軸筒１２内には、芯繰り出し機構１４を駆動するための駆動機構３０が配設される。駆動機構３０もユニットとなっており、軸筒１２内に後方から差し込まれて固定されることで、軸筒１２内にセット可能となっている。
【００２４】
具体的には、駆動機構３０は、回転カム３２と、回転カム３２に連結される尾栓３４と、回転カム３２と尾栓３４との間にある金属製のスリーブ３６と、スリーブ３６と回転カム３２との間の回転を円滑にするためのプラスチック製のリング３８と、尾栓３４に着脱可能に設けられるタンク蓋を兼ねるスタイラスチップ４０と、から構成される。
【００２５】
スリーブ３６の外周面に形成された噛み合い部が軸筒１２内に接着圧入されることで、駆動機構３０が軸筒１２に固定される。このとき、駆動機構３０の回転カム３２と、芯繰り出し機構１４の芯パイプ１６との間で後述の回転カム機構が構成される。
【００２６】
回転カム３２と、尾栓３４と、スリーブ３６とは、次のようにして組み立てられる。回転カム３２には、図７に示すように、その先端部に先方に突出するカム突起３２ａが形成され、後端部は縮径された縮径部３２ｂとなっており、該縮径部３２ｂに係合孔３２ｃと、該係合孔３２ｃと周方向に整合された導入孔３２ｄとが形成されている。尾栓３４には、図８に示すように、その先端部に係合突起３４ａと、係合突起３４ａと周方向にずれた位置に孔３４ｂが形成され、係合突起３４ａと周方向に整合した位置に第２係合突起３４ｃとが形成されている。また、尾栓３４の後端部には、第３係合突起３４ｄが形成されている。
【００２７】
図９（ａ)に示すように、回転カム３２の縮径部３２ｂをリング３８とスリーブ３６に挿入し、次いで、図９（ｂ）に示すように、尾栓３４の先端部の係合突起３４ａを導入孔３２ｄに整合させて、該先端部を縮径部３２ｂ内に挿入する。そして、孔３４ｂを縮小させながら、係合突起３４ａを係合孔３２ｃに係止すると共に、導入孔３２ｄに第２係合突起３４ｃを嵌合する。これにより、スリーブ３６を間に挟んで、回転カム３２と尾栓３４とがスリーブ３６に対して相対回転可能に一体的に連結される（図９（ｃ））。
【００２８】
スタイラスチップ４０は、尾栓３４の後端部に着脱可能に挿入されるタンク蓋を構成している。このタンク蓋はプラスチック製の一体部品で構成されるが、複数の部材から構成することも可能である。スタイラスチップ４０の尾栓３４からの突出端はスタイラス用ペン先Ｐ１（図３参照）を構成しており、該スタイラス用ペン先Ｐ１は、尾栓３４の後端から長く延びており、内部は空間となっているために、その可撓性は大きく軟らかなものとなっている。
【００２９】
尾栓３４には、キャップ４４が着脱可能に被着される。キャップ４４は、キャップ本体４６と、スタイラスチップ４８と、金属クリップ５０とから構成される。このスタイラスチップ４８は、キャップ本体４６の後端部に圧入されまたはキャップ本体４６と二色成形により一体成形され、スタイラス用ペン先Ｐ２（図１参照）を構成している。
【００３０】
キャップ本体４６の内周面には、前記尾栓３４の第３係合突起３４ｄと嵌合する係合溝４６ａ（図３参照）が形成されており、キャップ４４を装着するときに、係合溝内に第３係合突起３４ｄに嵌合することで、キャップ４４と尾栓３４とは、一体的に回転するように連結される。
【００３１】
芯パイプ１６と、回転カム３２とのそれぞれの内部空間によって軸筒１２内に芯タンクＴの空間が形成され、芯タンクＴは、さらに、尾栓３４の内部空間に連通して、尾栓３４の後端部が芯挿入口となり、スタイラスチップ４０で構成されるタンク蓋によって芯挿入口が着脱可能に封止される。
【００３２】
以上のように構成されるスタイラスペン付きシャープペンシルでは、軸筒１２の先具２６を下方にして筆記することにより、通常のシャープペンシルとしての使用が可能となっている。芯を繰り出すときには、キャップ４４を軸筒１２に対して回転する。これにより、キャップ４４の相対回転は、尾栓３４を介して回転カム３２に伝達される。回転カム３２のカム突起３２ａが、軸筒１２内で回転不能となった芯パイプ１６の回転カム受部１６ｂに対して回転する。
【００３３】
図１０は、回転カム３２のカム突起３２ａと芯パイプ１６の回転カム受部１６ｂとから構成される回転カム機構の作用を表す展開図である。通常時には、チャックスプリング２４の付勢力によって、実線で示すようにカム突起３２ａが、回転カム受部１６ｂの最も凹んだ部分に当接している。キャップ４４を回転させることにより、カム突起３２ａが傾斜面１６ｂ１、１６ｂ２のいずれかに沿って移動し、これにより、芯パイプ１６、チャック１８及びチャックリング２０は前進して芯の繰り出しが行われる。キャップ４４をいずれの回転方向に回転しても、カム突起３２ａが傾斜面１６ｂ１、１６ｂ２のいずれかに沿うので芯の繰り出しを行うことができるが、傾斜面１６ｂ２に沿って係止凹部１６ｂ３まで移動させると、カム突起３２ａが係止されるために、チャック１８が前進して芯の締結を解除した状態に保持することができるので繰り出した芯を退没させることができる。
【００３４】
芯を補充するときには、図４及び図５に示したように、キャップ４４及びスタイラスチップ４０を取り外すと、芯タンクの芯挿入口が開放されるために、芯Ｌを芯タンクに挿入することが可能になる。
【００３５】
次に、スタイラスペンとして使用する場合には、軸筒１２の先具２６と反対側を下方にする。このときに、この実施形態では、図１に示すようにキャップ４４を取り付けたままで、キャップ４４に設けられたスタイラスチップ４８のスタイラス用ペン先Ｐ２を使用する方法と、図３に示したように、キャップ４４を取り外して、スタイラスチップ４０のスタイラス用ペン先Ｐ１を使用する方法のいずれの方法をも使用することができる。スタイラス用ペン先Ｐ２は、特許文献１に示されたものと同様であり、従って、その平均外径は太く、キャップ４４の一部として機能しているためにその材料の硬度は硬く、可撓性は小さい。一方、スタイラス用ペン先Ｐ１は、その平均外径は細く、さらに通常キャップ４４内に包囲されてキャップ４４で保護されており、芯タンクＴのタンク蓋としても機能しているため材料の硬度は軟らかく、内部が空胴となっているために可撓性は大きい。よって、使用する状況に応じて、スタイラスペンを繊細、緻密に動かしたいとき、または、スタイラスペンを柔軟に動かしたい場合にはスタイラス用ペン先Ｐ１を使用することができる。
【００３６】
例えば、かかるスタイラスペンは、携帯電話ディスプレイのような小画面上に展開される選択肢を選択するものとして、または、画面上で筆記するものとして使用することがでできる。
【００３７】
こうして、シャープペンシルと２種類のスタイラスペンとして、３種類の使用法を利用することができる。また、スタイラス用ペン先Ｐ１は芯タンクＴのタンク蓋として兼用されているために、部品点数を削減することも可能である。スタイラス用ペン先Ｐ１は、不使用時にはキャップ４４に包囲されて保護されているため、可撓性が大きくても破損を防ぐことができ、且つ回転カム機構の作用に支障を及ぼすこともない。
【図面の簡単な説明】
【００３８】
【図１】本発明のスタイラスペン付きシャープペンシルの全体図である。
【図２】本発明のスタイラスペン付きシャープペンシルの縦断面図である。
【図３】本発明のスタイラスペン付きシャープペンシルをスタイラスペンとして使用する場合の全体図である。
【図４】本発明のスタイラスペン付きシャープペンシルの芯を補充するときの全体図である。
【図５】本発明のスタイラスペン付きシャープペンシルの芯を補充するときの縦断面図である。
【図６】（ａ）は本発明のスタイラスペン付きシャープペンシルの芯パイプの平面図、（ｂ）は６ｂ−６ｂ線に沿って見た縦断面図である。
【図７】（ａ）は本発明のスタイラスペン付きシャープペンシルの回転カムの平面図、（ｂ）は７ｂ−７ｂ線に沿って見た縦断面図である。
【図８】（ａ）は本発明のスタイラスペン付きシャープペンシルの尾栓の側面図、（ｂ）は縦断面図である。
【図９】回転カム、尾栓及びスリーブの組立て手順を表す縦断面図である。
【図１０】芯パイプの回転カム受部と、回転カムのカム突起とからなる回転カム機構の作用を表す展開図である。
【符号の説明】
【００３９】
１０  スタイラスペン付きシャープペンシル
１２  軸筒
１４  芯繰り出し機構
１６  芯パイプ
３０  駆動機構
４０  スタイラスチップ（タンク蓋）
４４  キャップ
Ｔ  芯タンク
Ｐ１  スタイラス用ペン先
Ｐ２  スタイラス用ペン先
【図１】
2006297756.tif 000003
【図２】
2006297756.tif 000004
【図３】
2006297756.tif 000005
【図４】
2006297756.tif 000006
【図５】
2006297756.tif 000007
【図６】
2006297756.tif 000008
【図７】
2006297756.tif 000009
【図８】
2006297756.tif 000010
【図９】
2006297756.tif 000011
【図１０】
2006297756.tif 000012